(57)【特許請求の範囲】
【請求項１】
トランス本体（１）の周囲に締付兼取付具（４）が取付けられた小型トランスにおいて、
前記締付兼取付具（４）は一部材からなり、かつほぼ十字状をなし、中央部にコアを押圧する凹部（５ｅ）が形成された天板部（５）と、この天板部（５）のほぼ十字状の互に対向する第１、第２端部部分で下方に向って折曲形成された腕部（６）と、前記天板部（５）の他の対向する第３、第４端部部分で下方に向って折曲され、ほぼくの字状に形成されバネ性を有し、かつコアを押圧する締付部（７）とを備えて構成され、かつ前記腕部（６）の下端両側部には内側に向って延び、かつ前記トランス本体（１）のコイルボビン（Ｂ）の端子台（Ａ）に形成されたスリット（Ｓ）内に係合される係合部（６ａ）が形成され、前記腕部（６）の下端中央には取付面取付用の取付部（６ｃ）が形成されたことを特徴とする小型トランス。
【発明の詳細な説明】
【０００１】
【発明の属する技術分野】
この発明は民生用の電子機器に用いられる小型の高周波トランスに関する。
【０００２】
【従来の技術】
この種のトランスとしては種々のタイプのものが存在するが、図８に示すようなコイルボビンＢにコイル（図示せず）が巻回され、かつ２分割のコアａ，ｂが組み込まれるなどして構成されたものがある。
【０００３】
そして、図６に示すように、上述の如き２分割のコアａ，ｂが組み込まれてなるトランス本体１には、その周囲を締付けるとともに、プリント基板などに取付けるための締付兼取付具１０が外側に取付けられる。
【０００４】
【発明が解決しようとする課題】
しかして、トランス本体１に設けられる従来の締付兼取付具１０は、図７に示すように、２つの部材１０ａ，１０ｂの組み合せからなり、かつトランス本体１の外周をハチ巻き状に巻き付け、２ケ所で２つの部材１０ａ，１０ｂを係合部１０ｄ，１０ｅによって係合させるとともに、上部の爪をトランス本体１の上面側に折曲してトランス本体１に取付けており、この従来の締付兼取付具１０は２部材からなるため、コスト高となり、しかもトランス本体１への取付作業が煩雑である、という課題があった。
【０００５】
この発明は上記のことに鑑み提案されたもので、その目的とするところは、簡易構成であってコストダウンを図ることができ、かつトランス本体への組み込みが容易な締付兼取付具を備えた小型トランスを提供するものである。
【０００６】
【課題を解決するための手段】
この発明は、トランス本体１の周囲に締付兼取付具４が取付けられた小型トランスにおいて、前記締付兼取付具４は一部材からなり、かつほぼ十字状をなし、中央部にコアを押圧する凹部５ｅが形成された天板部５と、この天板部５のほぼ十字状の互に対向する第１、第２端部部分で下方に向って折曲形成された腕部６と、前記天板部５の他の対向する第３、第４端部部分で下方に向って折曲され、ほぼくの字状に形成されバネ性を有し、かつコアを押圧する締付部７とを備えて構成され、かつ前記腕部６の下端両側部には内側に向って延び、かつ前記トランス本体１のコイルボビンＢの端子台Ａに形成されたスリットＳ内に係合される係合部６ａが形成され、前記腕部６の下端中央には取付面取付用の取付部６ｃを形成することにより、上記目的を達成している。
【０００７】
【発明の実施の形態】
図１は本発明の一実施例の締付兼取付具とトランス本体との分解斜視、図２は締付兼取付具の正面図、図３は締付兼取付具の側面図、図４は締付兼取付具の底面図、図５はトランス本体に締付兼取付具を組み込んだ状態の斜視図を示す。
【０００８】
しかして、図１において１はコイルボビンＢに２つのコアａ，ｂが組み込まれてなるトランス本体で、下方からは複数本の端子２が突設されている。
【０００９】
４は金属性の締付兼取付具である。この締付兼取付具４は、帯状であってほぼ十字状をなす天板部５と、その第１端部５ａおよびこれと対向する第２端部５ｂにおいてそれぞれ下方に向ってほぼ直角に折曲された腕部６と、第１，第２端部５ａ，５ｂに対し直交位置にある第３，第４端部５ｃ，５ｄにおいてそれぞれ下方に向って折曲された腕状の締付部７とを備えている。
【００１０】
また、上記各腕部６の下端両側部には固定用の係合部６ａが形成されているとともに、腕部６の下端中央には更に下方に向って延びる巾狭の取付部６ｂが形成されている。
【００１１】
この場合、図２に示すように、天板部５の中央部は下方に向って凹状となっており、材質に起因するバネ性を有している。また、図中５ｅはその凹部を示す。係合部６ａは腕部６に対しやや内側に向って斜目に設けられ、取付部６ｂは腕部６に対しやや外側において下方に向って突設されている。
【００１２】
締付部７は、詳しくは図２ないし図４に示すように、バネ性をもたせるべく内側に向って折曲され、かつ先端部７ａは外側に折曲され、ほぼくの字状に形成されている。
【００１３】
トランス本体１に締付兼取付具４を組み込む場合、図１に示すように、トランス本体１の上方に締付兼取付具４を位置させ、締付兼取付具４をトランス本体１に冠着させれば良い。あるいは、逆にトランス本体１を締付兼取付具４内に押し込んでも良い。この際、締付部７の先端部７ａは外側に折曲されているため、取付けが容易である。
【００１４】
図５はその組み込み状態を示す。この場合、締付兼取付具４の天板部５と腕部６および締付部７によってトランス本体１の四辺を保持し、かつ材質と形状によってバネ性を有する天板部５の中央部の凹部５ａや締付部７によってトランス本体１のコアａ，ｂの上部や側面をしっかりと押さえて締付けて接合させることができる。
【００１５】
また、コイルボビンＢの端子台Ａの端部に形成されたスリットＳ内には内側に向って突設された係合部６ａが係合されコアａ，ｂを押圧する凹部５ｅと係合部６ａとによってコアａ，ｂとコイルボビンＢとを一体化し、ひいてはこれらにより締付兼取付部４をトランス本体１に対し緊固に一体化することができる。
【００１６】
プリント基板などの取付面（図示せず）への固定に際しては、取付部６ｂの先端部６ｃを取付面に形成された孔へ挿通させるなどすれば良い。
【００１７】
【発明の効果】
以上のように、本発明によれば、締付兼取付部４は一部材の簡易構成からなるため、コストダウンを達成し得、かつトランス本体１に対し単に被せるだけで取付けることができ、取付作業が容易であり、かつ２つのコアを締付兼取付部４の凹部５ｅや締付部７によって締付けて接合させることができ、また、コイルボビンＢの端子台ＡのスリットＳ内に係合部６ａが係合されるため、締付兼取付部４をトランス本体１に対し緊固に一体化することができる、という利点がある。
【図面の簡単な説明】
【図１】本発明の一実施例の分解斜視図。
【図２】本発明に用いられる締付兼取付具の正面図。
【図３】本発明に用いられる締付兼取付具の側面図。
【図４】本発明に用いられる締付兼取付具の底面図。
【図５】本発明の斜視図。
【図６】従来例の斜視図。
【図７】従来用いられた締付兼取付具の分解斜視図。
【図８】コイルボビンと２つのコアとの分解斜視図を示す。
【符号の説明】
１    トランス本体
２    端子
４    締付兼取付部
５    天板
５ａ    第１端部
５ｂ    第２端部
５ｃ    第３端部
５ｄ    第４端部
５ｅ    凹部
６    腕部
６ａ    突部
６ｂ    取付部
６ｃ    先端部
７    締付部
７ａ    先端部
【図１】
0003771643.tif 000002
【図２】
0003771643.tif 000003
【図３】
0003771643.tif 000004
【図４】
0003771643.tif 000005
【図５】
0003771643.tif 000006
【図６】
0003771643.tif 000007
【図７】
0003771643.tif 000008
【図８】
0003771643.tif 000009